(57)【要約】【課題】極めて容易に、短時間で、扉に装着できる埋込み取手を提供する。【解決手段】埋込み取手１は、差込み用凹部２を形成するように背面側に膨出する膨出部３と、その周囲のフランジ部４とを具備する。膨出部３が正面板３１の取付用開口３２に嵌合され、フランジ部４が正面板３１の前面に密着する。係合部材５が膨出部３の外側面に固着される。フランジ部４ｂの背面にスタッドボルト６が突設される。係合部材５は、取り付け片５ａにおいて膨出部３の外側面に固着される。係合片５ｂは、取り付け片５ａの一側縁５ｃから起立し、徐々にフランジ部４ａの背面から離れる方向へ傾斜する。係合片５ｂと、フランジ部４ａの背面との間に、開口３２の側縁３２ａを受け入れる挟持空間７を形成する。スタッドボルト６は、側縁３２ａの外側に形成されるボルト孔３３に対応し、扉の背面側からナット８で締め付けられる。【選択図】図７
2011047105.tif 000002
【特許請求の範囲】
【請求項１】
前面側に手差込み用凹部を形成するように背面側に膨出する膨出部と、この凹部の周囲に広がるフランジ部とを具備し、扉の正面板に形成された取付用開口であって相対向する第１の側縁と第２の側縁とを有するものへ、膨出部が嵌め込まれ、フランジ部を正面板の前面に密着させて正面板に固定される埋込み取手であって、
前記膨出部の外側面であって、前記取付用開口における第１の側縁に対応する側に固着される係合部材と、
前記フランジ部の背面であって、前記取付用開口における第２の側縁の外側に形成されるボルト孔に対応する位置に直角に突設され、扉の背面側からナットで締め付けられるスタッドボルトとを具備し、
前記係合部材は、一側縁を前記フランジの基部に沿うように配置して前記膨出部の外側面に固着される取り付け片と、この取り付け片の一側縁から起立して徐々にフランジの背面から離れる方向へ傾斜しフランジの背面との間に前記取付用開口の第１の側縁を受け入れる外広がりの挟持空間を形成する係合片とを具備することを特徴とする埋込み取手。
【請求項２】
前面側に手差込み用凹部を形成するように背面側に膨出する膨出部と、この凹部の周囲に広がるフランジ部とを具備し、扉の正面板に形成された取付用開口であって相対向する第１の側縁と第２の側縁とを有するものへ、膨出部が嵌め込まれ、フランジ部を正面板の前面に密着させて正面板に固定される埋込み取手であって、
前記膨出部の外側面であって、前記取付用開口における第１の側縁に対応する側に固着される係合部材と、
前記フランジ部の背面であって、前記取付用開口における第２の側縁の外側に形成されるボルト孔に対応する位置に固着され、扉の背面側からボルトで締め付けられるナットとを具備し、
前記係合部材は、一側縁を前記フランジの基部に沿うように配置して前記膨出部の外側面に固着される取り付け片と、この取り付け片の一側縁から起立して徐々にフランジの背面から離れる方向へ傾斜する支持斜面を有しフランジの背面との間に前記取付用開口の第１の側縁を受け入れる外広がりの挟持空間を形成する係合片とを具備することを特徴とする埋込み取手。
【請求項３】
前記係合部材の係合片は、扉の正面板へ装着されたときに、前記支持斜面上に前記取付用開口の第１の側縁を載せ受ける相対寸法に構成されることを特徴とする請求項１又は２に記載の埋込み取手。
【発明の詳細な説明】
【技術分野】
【０００１】
この発明は、機器収納ボックス等の扉に装着され、手先を差込んで扉の開閉操作に使用される埋込み取手に関する。
【背景技術】
【０００２】
埋込み取手は、扉に形成された取付用開口に扉の正面側から嵌め込まれ、典型的にはボルトとナットによって扉に固着される。その一例が、特許文献１に記載されている。この埋込み取手は、正面側に手差込み用凹部を形成するように背面側に膨出する膨出部と、この凹部の周囲に広がるフランジ部とを具備する。フランジ部の背面側の四隅には、ボルトが植え付けられる。扉に形成された取付用開口に、正面側から膨出部が嵌め込まれ、取付用開口の外側四隅に形成されたボルト孔にボルトが挿通される。４本のボルトに、扉の裏側からナットを螺合させることによって、取手が固定される。
【先行技術文献】
【特許文献】
【０００３】
【特許文献１】特開２００２−２５０１５４号公報
【発明の概要】
【発明が解決しようとする課題】
【０００４】
上記従来の埋込み取手は、４本のスタッドボルトにナットを螺合させる構造であって、製作時には、４本のボルトを定位置に植え付けるのに手数を要し、コスト高につながる。取り付け時には、扉に４つのボルト挿通孔を形成し、４本のボルトにそれぞれナットを螺合させるため、取り付けに手間がかかる難点がある。
したがって、この出願に係る発明は、簡易な構造で、製作コストの削減に貢献することができ、また極めて容易に、短時間で、扉に装着することができる埋込み取手を提供することを目的としている。
【課題を解決するための手段】
【０００５】
以下、添付図面の符号を参照して説明するが、本発明はこれに限定されるものではない。
上記課題を解決するためのこの出願に係る埋込み取手１は、正面側に手差込み用凹部２を形成するように背面側に膨出する膨出部３と、この凹部２の周囲に広がるフランジ部４とを具備する。扉の正面板３１に形成された取付用開口３２へ膨出部３が嵌め込まれ、フランジ部４が正面板３１の前面に密着する。埋込み取手１は、係合部材５と、スタッドボルト６とを具備する。係合部材５は、膨出部３の外側面に固着される。スタッドボルト６は、フランジ部４の背面に突設される。係合部材５は、取り付け片５ａと係合片５ｂとを具備し、取り付け片５ａにおいて膨出部３の外側面に固着される。取り付け片５ａの一側縁５ｃは、フランジ部４ａの基部に沿うように配置される。係合片５ｂは、取り付け片５ａの一側縁５ｃから起立して徐々にフランジ部４の背面から離れる方向へ傾斜する支持斜面５ｄを有する。この支持斜面５ｄは、フランジ部４の背面との間に取付用開口３２の側縁３２ａを受け入れる外広がりの挟持空間７を形成する。スタッドボルト６は、取付用開口３２の側縁３２ｂの外側に形成されるボルト孔３３に対応し、扉の背面側からナット８で締め付けられる。
他の埋込み取手１においては、上記スタッドボルト６に代えて、ナット１１がフランジ部４ｂの背面に固着される。扉の背面側からボルト孔３３を通してボルト１２がナット１１に螺合される。
【発明の効果】
【０００６】
この出願に係る発明の埋込み取手によれば、簡易な構造で、製作コストの削減に貢献することができ、またボルト、ナットの締め付け作業を減少させて、扉への装着作業の効率化を図ることができる。
【図面の簡単な説明】
【０００７】
【図１】本発明の埋込み取手の正面図である。
【図２】図１の埋込み取手の側面図である。
【図３】図１の埋込み取手の平面図である。
【図４】図１の埋込み取手の底面図である。
【図５】図１の埋込み取手の背面図である。
【図６】図１の埋込み取手を装着する扉の正面板の正面図である。
【図７】図１の埋込み取手の扉への装着状態の断面図である。
【図８】図１の埋込み取手の扉への装着過程を示す断面図である。
【図９】本発明の埋込み取手の他の実施形態を示す断面図である。
【発明を実施するための形態】
【０００８】
図面を参照してこの発明の実施の形態を説明する。
埋込み取手１は、前面側に手差込み用凹部２を形成するように背面側に膨出する膨出部３と、凹部２の周囲に広がるフランジ部４とを具備する。図６に示すように、扉の正面板３１には、取付用開口３２が形成される。埋込み取手１は、図８に示すように、取付用開口３２へ、扉の前面側から膨出部３を嵌め込み、図７に示すように、フランジ部４を正面板３１の前面に密着させて正面板３１に固定される。
【０００９】
図６に示すように、扉の正面板３１に形成される取付用開口３２は、埋込み取手１の膨出部３の基部断面の外形と相似形で、これよりよりやや大きいほぼ矩形状であり、相対向する第１及び第２の側縁３２ａ，３２ｂと、これらと直角の第３及び第４の側縁３２ｃ，３２ｄとを具備する。第２の側縁３２ｂの中間部から外側へ所定間隔を置いた位置にボルト孔３３が形成される。ボルト孔３３は、第２の側縁３２ｂと直交する方向の長軸が短軸の約２倍の長孔である。
【００１０】
埋込み取手１の膨出部３は、プレス成形され、第１ないし第４の側板３ａ，３ｂ，３ｃ，３ｄ及び底板３ｅを有するほぼ台形の箱状で、側板と底板に囲まれた手差込み用凹部２が前面側へ開放している。凹部２の開放部の一部へフランジ部４の一部４ｃが延出することによって指掛け用の延出部が形成される。
膨出部の側板３ａの外側面には、係合部材５が固着される。膨出部の側板３ｂに沿うフランジ部４ｂの背面には、スタッドボルト６が突設される。
係合部材５は、矩形の鉄板をほぼV字状に屈曲してなり、取り付け片５ａと係合片５ｂとを具備し、取り付け片５ａにおいて膨出部の側板３ａの外側面に溶着される。取り付け片５ａの一側縁５ｃは、側板３ａ側のフランジ部４ａの基部に沿うように配置される。
係合部材５の係合片５ｂは、取り付け片５aの一側縁５ｃから起立して徐々にフランジ部４ａの背面から離れる方向へ傾斜する支持斜面５ｄを有する。この支持斜面５ｄは、フランジ部４ａの背面との間に、取付用開口３２の側縁３２aを受け入れる外広がりの挟持空間７を形成する。
スタッドボルト６は、取付用開口３２の側縁３２ｂの外側に形成されるボルト孔３３に対応する位置に突設される。膨出部３が取付用開口３２へ嵌め込まれたときに、スタッドボルト６がボルト孔３３を貫通して背面側へ突出する。フランジ部４bとの間に側縁３２ｂを挟むように、スタッドボルト６にナット８が螺合され締め付けられる。
図９に示す他の実施形態の埋込み取手においては、上記スタッドボルト６に代えて、ナット１１がフランジ部４ｂの背面に固着される。膨出部３が取付用開口３２へ嵌め込まれたときに、ナット１１がボルト孔３３と一致する。扉の背面側からボルト孔３３を通してナット１１にボルト１２が螺合されることによって、取手１が扉の正面板３１に固定される。
【００１１】
埋込み取手１を扉の正面板３１に装着するには、図８に示すように、開口３２の縁部３２ａを挟持空間７に嵌合させるように、膨出部３を側板３ａ側から先に開口３２に嵌合させ、正面板３１の背面側へ突出させる。係合片５ｂの支持斜面５ｄは、正面板３１の厚さ寸法に応じて、適宜の高さ位置で、開口の側縁３２ａを載せ受けることができる。したがって、厚さの異なる数種の正面板３１に対応できる。次いで、埋込み取手１を開口の側縁３２ａとの当接部を中心に回転させつつ、膨出部３の側板３ｂ側を開口３２に嵌合させると共に、ボルト６をボルト孔３３に挿通させる。正面板３１の背面側へ突出したボルト６にナット８を螺合させれば、埋込み取手１の装着は完了する。
図９に示す他の実施形態の埋込み取手１においては、上記同様に開口３２に膨出部３を嵌合させた後、正面板３１の背面側からボルト孔３３を通してボルト１２をナット１１に螺合させる。いずれの実施形態においても、ボルト、ナットの締め付けは１回で済むから、扉への装着作業は極めて容易である。
【符号の説明】
【００１２】
１    埋込み取手
２    手差し込み用凹部
３    膨出部
３ａ  第１の側板
３ｂ  第２の側板
３ｃ  第３の側板
３ｄ  第４の側板
３ｅ  底板
４    フランジ部
４ａ  フランジ部
４ｂ  フランジ部
４ｃ  指掛け用延出部
５    係合部材
５ａ  取り付け片
５ｂ  係合片
５ｃ  側縁
６  スタッドボルト
７  挟持空間
８  ナット
１１  ナット
１２  ボルト
３１  扉の正面板
３２  取り付け用開口
３２ａ  第１の側縁
３２ｂ  第２の側縁
３２ｃ  第３の側縁
３２ｄ  第４の側縁
３３    ボルト孔
【図１】
2011047105.tif 000003
【図２】
2011047105.tif 000004
【図３】
2011047105.tif 000005
【図４】
2011047105.tif 000006
【図５】
2011047105.tif 000007
【図６】
2011047105.tif 000008
【図７】
2011047105.tif 000009
【図８】
2011047105.tif 000010
【図９】
2011047105.tif 000011